(57)【要約】【課題】ＰＨＹ設定の関係性と、Ｓｙｎｃ−Ｅ設定とが不一致である場合に、ネットワーク装置に対して不一致を示すアラームを通知する。【解決手段】  ネットワーク装置１０は、所定のクロックに同期して動作する同期ネットワークシステム１に接続され、Ｓｙｎｃ−Ｅのマスタ／スレーブ設定及びＰＨＹのマスタ／スレーブ設定を行う物理層デバイス１３と、Ｓｙｎｃ−Ｅのマスタ／スレーブ設定及びＰＨＹのマスタ／スレーブ設定を監視し、設定が一致するか否かを検出するアラーム検出部１５とを備える。アラーム検出部１５は、設定の不一致を検出した場合に、ネットワーク装置１０に対してアラームを通知する。【選択図】図４
2015211247.tif 000002
【特許請求の範囲】
【請求項１】
所定のクロックに同期して動作する同期ネットワークシステムに接続されたネットワーク装置であって、
Ｓｙｎｃ−Ｅのマスタ／スレーブ設定及びＰＨＹのマスタ／スレーブ設定を行う物理層デバイスと、
前記Ｓｙｎｃ−Ｅのマスタ／スレーブ設定及びＰＨＹのマスタ／スレーブ設定を監視し、該設定が一致するか否かを検出するアラーム検出部とを備え、
前記アラーム検出部は、前記設定の不一致を検出した場合に、前記ネットワーク装置に対してアラームを通知することを特徴とするネットワーク装置。
【請求項２】
前記アラーム検出部は、前記設定の不一致を検出した場合に、前記ネットワーク装置に接続された他のネットワーク装置に対してアラームを通知することを特徴とする請求項１に記載のネットワーク装置。
【請求項３】
前記アラーム検出部は、前記ネットワーク装置に対するアラームと、前記他のネットワーク装置に対するアラームとを区別可能に通知することを特徴とする請求項２に記載のネットワーク装置。
【請求項４】
所定のクロックに同期して動作する、複数のネットワーク装置が直列的に接続された同期ネットワークシステムであって、
前記ネットワーク装置は、
Ｓｙｎｃ−Ｅのマスタ／スレーブ設定及びＰＨＹのマスタ／スレーブ設定を行う物理層デバイスと、
前記Ｓｙｎｃ−Ｅのマスタ／スレーブ設定及びＰＨＹのマスタ／スレーブ設定を監視し、該設定が一致するか否かを検出するアラーム検出部とを備え、
前記アラーム検出部は、前記設定の不一致を検出した場合に、前記ネットワーク装置に対してアラームを通知することを特徴とするネットワークシステム。
【発明の詳細な説明】
【技術分野】
【０００１】
本発明は、ネットワーク装置及びネットワークシステムに関し、特に、設定の異常を検出した際にネットワーク装置に対してアラームを通知する装置及びシステムに関する。
【背景技術】
【０００２】
現在、キャリアネットワークにおいて使用される伝送装置網は、固定電話や専用線サービス等を中心に提供するための回線ベースのネットワーク網と、インターネットやイーサネット（登録商標）専用線等のＩＰ（Internet Protocol）系サービスを提供するためのパケットベースのネットワーク網とが存在する。
【０００３】
これら２つのネットワーク網は、各々が独立しており、個別に保守運用管理が必要となっている。そのため、設備効率化のために２つのネットワークを同一網上で効率的に収容することが要望されている。
【０００４】
このような要望に応えるため、近年、回線ベースのネットワーク網を低コストで収容効率の高いパケットベースのネットワーク網に収容する、パケットトランスポートと称する技術が出現した。
【０００５】
例えば、回線ベースの代表的なネットワークであるＳＤＨ（Synchronous Digital Hierarchy）網は、通信を行う際にネットワークの同期が前提である。これに対して、パケットベースの代表的なネットワークであるイーサネット網では、通信を行う際にネットワークの同期を必要としない。そのため、ＳＤＨ網をイーサネット網に収容するためには、イーサネット網においてもネットワークを同期させるような仕組みが必要となる。すなわち、上述したパケットトランスポートを実現するにあたっては、ネットワーク同期機能が必要となる。
【０００６】
そこで、イーサネット網において同期を行うための技術である「Ｓｙｎｃ−Ｅ（Synchronous-Ethernet）」が、ＩＴＵ−Ｔ（International Telecommunication Union-Telecommunication Standarization Sector）勧告Ｇ．８２６１に規定され、標準化された。
【０００７】
Ｓｙｎｃ−Ｅは、ネットワーク内で使用するクロックを共通化することで同期を行う方式である。この方式では、基準となるネットワーク装置のマスタとなるポートから、イーサネットを介して接続された他のネットワーク装置のスレーブとなるポートへクロックを供給する。そして、クロックを受信したネットワーク装置は、さらに他のネットワーク装置へクロックを供給する。このようにして、互いに接続された複数のネットワーク装置が数珠つなぎでネットワークを同期させることができる。
【０００８】
ところで、イーサネットのインターフェースには、例えば、「１０００ＢＡＳＥ−Ｔ」と称する物理層デバイス（以下「ＰＨＹ（PHYsical layer）」という。）の規格が存在し、ＩＥＥＥ（Institute of Electrical and Electronic Engineers）８０２．３ａｂに規定されている。この規格では、１０００ＢＡＳＥ−ＴのＰＨＹ間の通信におけるリンク速度や半二重／全二重を適切に決定するオートネゴシエーションの動作について言及している。また、上述した項目の他に、ＰＨＹ間のデータ送受信タイミングにおけるマスタ／スレーブの関係性を決定している。
【０００９】
１０００ＢＡＳＥ−Ｔでは、同一の信号線上でデータの送受信を行うように規定されており、送受信信号を分離する必要がある。そのため、インターフェース間で親子関係（マスタ／スレーブ）を設定し、マスタのＰＨＹのデータ送受信タイミングにスレーブのＰＨＹのデータ送受信タイミングを同期させることにより、送受信信号の分離を行っている。
【００１０】
一般的なＰＨＹでは、このマスタ／スレーブ設定をＡｄｖｅｒｔｉｓｅモードと呼ばれる設定で行い、Ａｕｔｏ（Ｒｅｐｅａｔｅｒ）、Ａｕｔｏ（ＤＴＥ）、Ｍａｎｕａｌ（Ｍａｓｔｅｒ）、Ｍａｎｕａｌ（Ｓｌａｖｅ）の４種のうちいずれかを設定して使用する。
【００１１】
例えば、２つのＰＨＹをＡｕｔｏ（Ｒｅｐｅａｔｅｒ）及びＡｕｔｏ（ＤＴＥ）のペアで使用した場合には、一意的にＡｕｔｏ（Ｒｅｐｅａｔｅｒ）側がＰＨＹのマスタとなる。一方、２つのＰＨＹをＡｕｔｏ（Ｒｅｐｅａｔｅｒ）及びＡｕｔｏ（Ｒｅｐｅａｔｅｒ）のペアや、Ａｕｔｏ（ＤＴＥ）及びＡｕｔｏ（ＤＴＥ）のペアで使用した場合には、オートネゴシエーションによりいずれか一方がマスタとなり、一意的にＰＨＹのマスタを決めることができない。尚、Ｍａｎｕａｌ（Ｍａｓｔｅｒ）及びＭａｎｕａｌ（Ｓｌａｖｅ）を使用した場合には、設定どおりの固定設定となる。
【００１２】
通常、１０００ＢＡＳＥ−ＴのＰＨＹを備えたネットワーク装置がＳｙｎｃ−Ｅのようなネットワーク同期機能を使用する場合には、各ポートにおけるＰＨＹのマスタ／スレーブの関係性と、Ｓｙｎｃ−Ｅにおけるマスタ／スレーブの関係性を一致させる必要がある。
【００１３】
既存のネットワーク装置においては、Ｓｙｎｃ−Ｅのマスタ／スレーブ設定をユーザの操作により設定し、ＰＨＹのマスタ／スレーブ設定をＳｙｎｃ−Ｅの設定に連動させる方法が一般的である。すなわち、Ｓｙｎｃ−Ｅの設定がマスタの場合には、ＰＨＹをＡｕｔｏ（Ｒｅｐｅａｔｅｒ）に設定し、Ｓｙｎｃ−Ｅの設定がスレーブの場合には、ＰＨＹをＡｕｔｏ（ＤＴＥ）に設定する。これにより、Ｓｙｎｃ−Ｅ及びＰＨＹの親子関係を一致させている。
【００１４】
ところで、誤設定等により、Ｓｙｎｃ−Ｅがスレーブに設定されたポート同士が接続されてしまった場合、ＰＨＹは接続性を優先するため、オートネゴシエーションの設定において一致状態を無視し、一方がマスタとなり、他方がスレーブとなるように自動的に設定する。これにより、接続された一方のポートにおいては、ＰＨＹの設定がマスタであり、Ｓｙｎｃ−Ｅの設定がスレーブであるといった不一致状態が発生し、同期機能が正常に動作しなくなる。
【００１５】
このような場合、従来のＳｙｎｃ−Ｅを用いた同期ネットワークシステムでは、ネットワーク装置におけるＳｙｎｃ−Ｅの誤設定や誤接続等による、ＰＨＹのマスタ／スレーブの関係性と、Ｓｙｎｃ−Ｅにおけるマスタ／スレーブの関係性との不一致を速やかに検出することができないという問題があった。
【００１６】
これは、上述したように、イーサネット網がネットワークの同期を必要としないため、両者の不一致が発生している装置においてイーサネットフレームの損失が発生せず、正常に通信ができているように見えてしまうからである。
【００１７】
そのため、パケットトランスポートによってイーサネット網にＳＤＨ網を収容した場合、ネットワーク運用者は、ＳＤＨ信号の損失により初めて障害を認識することとなる。しかし、ネットワーク運用者は、ＳＤＨ信号の損失によって障害を認識することができても、イーサネット網に接続されたどの装置で問題が発生したのかを切り分けるのが困難であった。
【００１８】
そこで、このようなＰＨＹのマスタ／スレーブの関係性と、Ｓｙｎｃ−Ｅにおけるマスタ／スレーブの関係性との不一致を防止する方法が提案されている。例えば、特許文献１には、ネットワーク装置のＳｙｎｃ−Ｅの設定がスレーブとなるポートのＰＨＹに対して、オートネゴシエーションの設定をスレーブに固定することにより、ＰＨＹの関係性とＳｙｎｃ−Ｅの関係性とに不一致が発生しないようにする技術が記載されている。
【先行技術文献】
【特許文献】
【００１９】
【特許文献１】特開２０１２−２２２５２４号公報
【発明の概要】
【発明が解決しようとする課題】
【００２０】
しかし、特許文献１に記載された方法では、Ｓｙｎｃ−Ｅの設定がスレーブとなる装置においては、ＰＨＹの設定も必ずスレーブとなるため、Ｓｙｎｃ−ＥとＰＨＹとの間で不一致は発生しないが、例えば、Ｓｙｎｃ−Ｅの設定がスレーブに設定されたポート同士が接続された場合、接続された装置間で正常に通信を行うことができなくなるという問題があった。
【００２１】
このような場合には、接続が確立できないことにより、その装置において異常が発生していることを検出することはできるが、接続が切断されるため、ネットワーク管理者に対して異常を知らせるためのアラームを通知することができない。
【００２２】
また、Ｓｙｎｃ−ＥとＰＨＹとの間で不一致が発生したポートを有するネットワーク装置に対してアラームを通知する方法も考えられるが、不一致が発生したネットワーク装置でＳｙｎｃ−Ｅの設定を誤っているとは限らず、例えば、接続先のネットワーク装置でＳｙｎｃ−Ｅの設定を誤っていることによる不一致が発生している可能性も考えられる。そのため、Ｓｙｎｃ−ＥとＰＨＹとの間で不一致が発生している装置だけでなく、Ｓｙｎｃ−Ｅにおける接続先のネットワーク装置に対してもアラームを通知する必要がある。
【００２３】
そこで、本発明は、上記従来の技術における問題点に鑑みてなされたものであって、ＰＨＹのマスタ／スレーブの関係性と、Ｓｙｎｃ−Ｅのマスタ／スレーブの関係性との間で不一致が発生した場合に、当該不一致を検出すると共に、ネットワーク装置に対して不一致を示すアラームを通知するネットワーク装置及びネットワークシステムを提供することを目的とする。
【課題を解決するための手段】
【００２４】
上記目的を達成するため、本発明は、所定のクロックに同期して動作する同期ネットワークシステムに接続されたネットワーク装置であって、Ｓｙｎｃ−Ｅのマスタ／スレーブ設定及びＰＨＹのマスタ／スレーブ設定を行う物理層デバイスと、前記Ｓｙｎｃ−Ｅのマスタ／スレーブ設定及びＰＨＹのマスタ／スレーブ設定を監視し、該設定が一致するか否かを検出するアラーム検出部とを備え、前記アラーム検出部は、前記設定の不一致を検出した場合に、前記ネットワーク装置に対してアラームを通知することを特徴とする。
【００２５】
また、本発明は、所定のクロックに同期して動作する、複数のネットワーク装置が直列的に接続された同期ネットワークシステムであって、前記ネットワーク装置は、Ｓｙｎｃ−Ｅのマスタ／スレーブ設定及びＰＨＹのマスタ／スレーブ設定を行う物理層デバイスと、前記Ｓｙｎｃ−Ｅのマスタ／スレーブ設定及びＰＨＹのマスタ／スレーブ設定を監視し、該設定が一致するか否かを検出するアラーム検出部とを備え、前記アラーム検出部は、前記設定の不一致を検出した場合に、前記ネットワーク装置に対してアラームを通知することを特徴とする。
【発明の効果】
【００２６】
以上のように、本発明によれば、ＰＨＹのマスタ／スレーブの関係性と、Ｓｙｎｃ−Ｅのマスタ／スレーブの関係性との間で不一致が発生した場合に、当該不一致を検出すると共に、接続先のネットワーク装置に対して不一致を示すアラームを通知することが可能になる。
【図面の簡単な説明】
【００２７】
【図１】本発明に係るネットワークシステムの一実施の形態を示すブロック図である。
【図２】本発明に係るネットワーク装置の一実施の形態を示すブロック図である。
【図３】Ｓｙｎｃ−Ｅの設定及びＰＨＹの設定が異常である場合について説明するためのブロック図である。
【図４】Ｓｙｎｃ−Ｅの設定の関係性と、ＰＨＹの設定の関係性との状態を判断する方法について説明するためのブロック図である。
【発明を実施するための形態】
【００２８】
次に、本発明を実施するための形態について、図面を参照しながら詳細に説明する。
【００２９】
図１は、本発明に係るネットワークシステムの一実施の形態を示し、このネットワークシステム１は、ＰＳＮ（Packet Switched Network）２０上に複数のネットワーク装置１０Ａ、１０Ｂ、・・・が設けられ、隣接するネットワーク装置１０が互いに直列的に接続されて構成される。尚、この例では、ネットワーク装置１０Ａが基準となるクロックを生成するマスタとなり、ネットワーク装置１０Ａからネットワーク装置１０Ｂ以降のネットワーク装置１０（スレーブ）に対してクロックを供給する場合を示す。
【００３０】
ネットワーク装置１０は、図２に示すように、クロック源１１、ＰＬＬ（Phase Locked Loop）回路１２、物理層デバイス（以下「ＰＨＹ」という。）１３＿１及び１３＿２、接続インターフェース（以下「接続Ｉ／Ｆ」という。）１４＿１及び１４＿２、アラーム検出部１５を備える。尚、以下の説明において、ＰＨＹ１３＿１及び１３＿２を特に区別する必要がない場合には、単にＰＨＹ１３と称して説明する。また、接続Ｉ／Ｆ１４＿１及び１４＿２についても同様に、接続Ｉ／Ｆ１４と称して説明する。
【００３１】
ネットワーク装置１０は、ネットワーク運用者により、各ネットワーク装置１０を同期させるための基準となるクロックを他のネットワーク装置１０に対して供給するマスタと、他のネットワーク装置１０から供給されたクロックに同期して動作するスレーブとのいずれかに予め設定される。
【００３２】
クロック源１１は、自装置がマスタに設定された場合に、基準クロックとなるクロックを生成し、生成したクロックを後述するＰＬＬ回路１２に対して出力する。尚、クロック源１１は、自装置がスレーブに設定された場合、クロックを生成しない。
【００３３】
ＰＬＬ回路１２は、クロック源１１から供給されたクロックをネットワーク装置１０内に設けられた各デバイスに対して供給する。また、ＰＬＬ回路１２は、自装置がマスタに設定された際に、クロック源１１から供給されたクロックをＰＨＹ１３に対して出力する。一方、ＰＬＬ回路１２は、自装置がスレーブに設定された際に、ＰＨＹ１３＿１又は１３＿２から供給されたクロックに同期して、クロックをＰＨＹ１３＿２又は１３＿１に対して出力する。
【００３４】
ＰＨＹ１３は、ＰＬＬ回路１２から供給されたクロックを接続Ｉ／Ｆ１４に対して出力すると共に、接続Ｉ／Ｆ１４から供給されたクロックをＰＬＬ回路１２に対して出力する。
【００３５】
また、ＰＨＹ１３では、Ｓｙｎｃ−Ｅの設定及びＰＨＹの設定が行われ、後述する接続Ｉ／Ｆ１４の設定状態（マスタ／スレーブ）に対応して、Ｓｙｎｃ−Ｅの設定（マスタ／スレーブ）が行われると共に、Ｓｙｎｃ−Ｅの設定に対応してＡｄｖｅｒｔｉｓｅの設定（Ａｕｔｏ（Ｒｅｐｅａｔｅｒ）／Ａｕｔｏ（ＤＴＥ））が行われる。そして、接続された他のネットワーク装置１０におけるＡｄｖｅｒｔｉｓｅの設定との関係に基づき、オートネゴシエーションによりＰＨＹの設定（マスタ／スレーブ）が行われる。
【００３６】
具体的には、接続Ｉ／Ｆ１４がマスタに設定された場合には、Ｓｙｎｃ−Ｅがマスタに設定されると共に、ＡｄｖｅｒｔｉｓｅがＡｕｔｏ（Ｒｅｐｅａｔｅｒ）に設定され、接続Ｉ／Ｆ１４がスレーブに設定された場合には、Ｓｙｎｃ−Ｅがスレーブに設定されると共に、ＡｄｖｅｒｔｉｓｅがＡｕｔｏ（ＤＴＥ）に設定される。
【００３７】
そして、自装置におけるＡｄｖｅｒｔｉｓｅの設定と、接続された他のネットワーク装置１０におけるＡｄｖｅｒｔｉｓｅの設定とに基づき、ＰＨＹが設定される。この場合のＰＨＹの設定は、背景技術の項で説明したように、Ａｕｔｏ（Ｒｅｐｅａｔｅｒ）及びＡｕｔｏ（ＤＴＥ）のペアで使用した場合には、Ａｕｔｏ（Ｒｅｐｅａｔｅｒ）側がＰＨＹのマスタとなる。また、Ａｕｔｏ（Ｒｅｐｅａｔｅｒ）同士のペアや、Ａｕｔｏ（ＤＴＥ）同士のペアで使用した場合には、オートネゴシエーションによりいずれか一方がマスタとなり、他方がスレーブとなる。
【００３８】
接続Ｉ／Ｆ１４は、マスタポート及びスレーブポートの２ポートのイーサネットポートを有し、隣接する他のネットワーク装置１０に設けられた接続Ｉ／Ｆ１４と接続し、双方向でのデータ通信及びマスタからスレーブへのクロックの授受を行う。接続Ｉ／Ｆ１４は、マスタに設定された場合に、ＰＨＹ１３から供給されたクロックを、接続された他のネットワーク装置１０に対してマスタポートを用いて出力する。一方、接続Ｉ／Ｆ１４は、スレーブに設定された場合に、接続された他のネットワーク装置１０からスレーブポートを用いて供給されたクロックを、ＰＨＹ１３に対して出力する。
【００３９】
接続Ｉ／Ｆ１４は、ネットワーク装置１０がマスタ及びスレーブのいずれかに設定された場合に、その設定に対応してネットワーク運用者によりマスタ及びスレーブのいずれかに設定される。具体的には、ネットワーク装置１０がマスタに設定された場合には、接続Ｉ／Ｆ１４がマスタに設定され、マスタポートが用いられ、ネットワーク装置１０がスレーブに設定された場合には、接続Ｉ／Ｆ１４がスレーブに設定され、スレーブポートが用いられる。
【００４０】
アラーム検出部１５は、ＰＨＹ１３におけるＳｙｎｃ−Ｅの設定とＰＨＹの設定とを監視し、これらの関係性を判断し、不一致であることを検出した場合には、アラーム情報を生成し、自装置及び／又は接続されたネットワーク装置１０のアラーム検出部１５に対して出力する。
【００４１】
アラーム情報は、例えば、不一致を検出している間、所定の間隔で出力してもよい。また、例えば、ネットワーク装置１０でアラームを保持する機能を有する場合には、状態が変化した場合に出力してもよい。
【００４２】
また、アラーム検出部１５は、Ｓｙｎｃ−Ｅの設定とＰＨＹの設定との不一致を検出しなくなった場合に、アラーム通知を解除すると共に、互いに接続された２つのネットワーク装置１０間の接続が切断した場合にも、アラーム通知を解除する。
【００４３】
これは、不一致からの復旧通知をアラーム検出部１５から接続されたネットワーク装置１０のアラーム検出部１５に対して行わないことを意味し、アラームからの解除は、各ネットワーク装置１０において自律的に行われるものとする。
【００４４】
ここで、自装置に接続されたネットワーク装置１０に対するアラーム情報は、例えば、アラーム通知フレームを用いることができる。このアラーム通知フレームは、イーサフレームとし、トランスポート層にはＵＤＰ（User Datagram Protocol）を使用する。
【００４５】
尚、アラーム通知フレームのデータ領域は、このフレーム以外のフレームと区別が可能で、かつ接続されたネットワーク装置１０で不一致を示すアラームが発生していることを認識できるものとする。
【００４６】
次に、上記構成を有するネットワークシステム１の動作について説明する。
【００４７】
まず、接続された複数のネットワーク装置１０で構成されたネットワークシステム１において、２つのネットワーク装置１０Ａ及び１０ＢにおけるＳｙｎｃ−Ｅの設定及びＰＨＹの設定が正常である場合について、図１を参照して説明する。図１に示す例は、ネットワーク装置１０Ａがマスタに設定され、ネットワーク装置１０Ｂがスレーブに設定された場合を示す。尚、この例では、説明が煩雑となるのを防ぐため、動作の説明に不要となる部分についての図示を省略する。
【００４８】
ネットワーク装置１０Ａは、ネットワーク運用者により装置及び接続Ｉ／Ｆ１４Ａ＿１がマスタに設定される。接続Ｉ／Ｆ１４Ａ＿１がマスタに設定されることにより、ＰＨＹ１３Ａ＿１は、Ｓｙｎｃ−Ｅをマスタに設定すると共に、ＡｄｖｅｒｔｉｓｅをＡｕｔｏ（Ｒｅｐｅａｔｅｒ）に設定する。
【００４９】
一方、ネットワーク装置１０Ｂは、ネットワーク運用者により装置及び接続Ｉ／Ｆ１４Ｂ＿２がスレーブに設定され、接続Ｉ／Ｆ１４Ｂ＿１がマスタに設定される。接続Ｉ／Ｆ１４Ｂ＿２がスレーブに設定されることにより、ＰＨＹ１３Ｂ＿２は、Ｓｙｎｃ−Ｅをスレーブに設定すると共に、ＡｄｖｅｒｔｉｓｅをＡｕｔｏ（ＤＴＥ）に設定する。また、接続Ｉ／Ｆ１４Ｂ＿１がマスタに設定されることにより、ＰＨＹ１３Ｂ＿１は、Ｓｙｎｃ−Ｅをマスタに設定すると共に、ＡｄｖｅｒｔｉｓｅをＡｕｔｏ（Ｒｅｐｅａｔｅｒ）に設定する。
【００５０】
このように設定された２つのネットワーク装置１０Ａ及び１０Ｂが接続Ｉ／Ｆ１４Ａ＿１及び１４Ｂ＿２を介して接続されると、ＰＨＹ１３Ａ＿１及び１３Ｂ＿２は、互いに接続先のＰＨＹ１３におけるＡｄｖｅｒｔｉｓｅの設定を確認する。そして、この場合には、Ａｄｖｅｒｔｉｓｅの設定がＡｕｔｏ（Ｒｅｐｅａｔｅｒ）及びＡｕｔｏ（ＤＴＥ）のペアとなるため、ＰＨＹ１３Ａ＿１は、オートネゴシエーションによりＰＨＹをマスタに設定する。また、ＰＨＹ１３Ｂ＿２は、オートネゴシエーションによりＰＨＹをスレーブに設定する。
【００５１】
次に、マスタに設定されたネットワーク装置１０Ａにおいて、クロック源１１Ａは、基準となるクロックを生成し、ＰＬＬ回路１２Ａに供給する。ＰＬＬ回路１２Ａは、クロック源１１Ａから供給されたクロックをネットワーク装置１０Ａ内の各デバイスに供給すると共に、ＰＨＹ１３Ａ＿１に供給する。ＰＨＹ１３Ａ＿１は、ＰＬＬ回路１２Ａから供給されたクロックを、接続Ｉ／Ｆ１４Ａ＿１を介してネットワーク装置１０Ｂに出力する。
【００５２】
ネットワーク装置１０Ｂにおいて、クロック源１１Ｂは、ネットワーク装置１０Ｂがスレーブに設定されていることからクロックの生成を行わない。そして、ＰＨＹ１３Ｂ＿２は、接続Ｉ／Ｆ１４Ｂ＿２を介してネットワーク装置１０Ａからクロックを受け取り、ＰＬＬ回路１２Ｂに供給する。ＰＬＬ回路１２Ｂは、ＰＨＹ１３Ｂ＿２から供給されたクロックをネットワーク装置１０Ｂ内の各デバイスに供給すると共に、ＰＨＹ１３Ｂ＿１に供給する。ＰＨＹ１３Ｂ＿１は、ＰＬＬ回路１２Ｂから供給されたクロックを、接続Ｉ／Ｆ１４Ｂ＿１を介して接続された次のネットワーク装置１０に出力する。
【００５３】
以下、このようにしてネットワーク装置１０Ａのクロック源１１Ａで生成されたクロックを、数珠つなぎ状に接続された次のネットワーク装置１０に対して順次供給する。これにより、数珠つなぎ状に接続されたネットワーク装置１０をネットワーク装置１０Ａに同期させることができる。
【００５４】
尚、この場合には、ネットワーク装置１０Ａ及び１０ＢにおけるＳｙｎｃ−Ｅの設定の関係性と、ＰＨＹの設定の関係性とが一致するため、アラーム検出部１５Ａ及び１５Ｂ（不図示）は、アラーム通知を行わない。
【００５５】
次に、接続された複数のネットワーク装置１０で構成されたネットワークシステム１において、２つのネットワーク装置１０Ａ及び１０ＢにおけるＳｙｎｃ−Ｅの設定及びＰＨＹの設定が異常である場合について、図３を参照して説明する。図３に示す例は、ネットワーク装置１０Ａをマスタに設定し、ネットワーク装置１０Ｂをスレーブに設定する予定のものを、ネットワーク運用者の誤設定によりネットワーク装置１０Ａをスレーブに設定した場合を示す。尚、この例では、図１の説明と同様に、説明が煩雑となるのを防ぐため、動作の説明に不要となる部分についての図示を省略する。
【００５６】
ネットワーク装置１０Ａは、ネットワーク運用者により装置及び接続Ｉ／Ｆ１４Ａ＿１がスレーブに設定される。接続Ｉ／Ｆ１４Ａ＿１がスレーブに設定されることにより、ＰＨＹ１３Ａ＿１は、Ｓｙｎｃ−Ｅをスレーブに設定すると共に、ＡｄｖｅｒｔｉｓｅをＡｕｔｏ（ＤＴＥ）に設定する。
【００５７】
一方、ネットワーク装置１０Ｂは、ネットワーク運用者により装置及び接続Ｉ／Ｆ１４Ｂ＿２がスレーブに設定され、接続Ｉ／Ｆ１４Ｂ＿１がマスタに設定される。接続Ｉ／Ｆ１４Ｂ＿２がスレーブに設定されることにより、ＰＨＹ１３Ｂ＿２は、Ｓｙｎｃ−Ｅをスレーブに設定すると共に、ＡｄｖｅｒｔｉｓｅをＡｕｔｏ（ＤＴＥ）に設定する。また、接続Ｉ／Ｆ１４Ｂ＿１がマスタに設定されることにより、ＰＨＹ１３Ｂ＿１は、Ｓｙｎｃ−Ｅをマスタに設定すると共に、ＡｄｖｅｒｔｉｓｅをＡｕｔｏ（Ｒｅｐｅａｔｅｒ）に設定する。
【００５８】
このように設定された２つのネットワーク装置１０Ａ及び１０Ｂが接続Ｉ／Ｆ１４Ａ＿１及び１４Ｂ＿２を介して接続されると、ＰＨＹ１３Ａ＿１及び１３Ｂ＿２は、互いに接続先のＰＨＹ１３におけるＡｄｖｅｒｔｉｓｅの設定を確認する。そして、この場合には、Ａｄｖｅｒｔｉｓｅの設定がＡｕｔｏ（ＤＴＥ）同士のペアとなるため、ＰＨＹ１３Ａ＿１及び１３Ｂ＿２は、オートネゴシエーションにより一方のＰＨＹをマスタに設定し、他方のＰＨＹをスレーブに設定する。
【００５９】
このとき、どちらのＰＨＹをマスタに設定するかについては、例えば、各々のＰＨＹ１３Ａ＿１及び１３Ｂ＿２が有する固有の値であるシード値によって決定され、このシード値が高い（又は低い）方のＰＨＹ１３がマスタに設定される。この例では、オートネゴシエーションによりＰＨＹ１３Ｂ＿２がマスタに設定され、ＰＨＹ１３Ａ＿１をスレーブに設定されたものとする。
【００６０】
この場合、スレーブに設定されたネットワーク装置１０Ａは、クロック源１１Ａによるクロックの生成を行わない。そして、ＰＨＹ１３Ａ＿１は、接続Ｉ／Ｆ１４Ａ＿１を介してネットワーク装置１０Ｂからクロックを受け取り、ＰＬＬ回路１２Ａに供給する。ＰＬＬ回路１２Ａは、ＰＨＹ１３Ａ＿１から供給されたクロックをネットワーク装置１０Ａ内の各デバイスに供給する。すなわち、ネットワーク装置１０Ａは、ネットワーク装置１０Ｂからクロックが供給されるため、ネットワーク装置１０Ｂに同期して動作することになる。
【００６１】
一方、ネットワーク装置１０Ｂにおいて、ＰＨＹ１３Ｂ＿２は、ネットワーク装置１０Ｂがスレーブに設定されていることから、ＰＬＬ回路１２Ｂに対してクロックを供給する。ＰＬＬ回路１２Ｂは、ＰＨＹ１３Ｂ＿２から供給されたクロックをネットワーク装置１０Ｂ内の各デバイスに供給すると共に、ＰＨＹ１３Ｂ＿１に供給する。ＰＨＹ１３Ｂ＿１は、ＰＬＬ回路１２Ｂから供給されたクロックを、接続Ｉ／Ｆ１４Ｂ＿１を介して接続された次のネットワーク装置１０に出力する。
【００６２】
このとき、ＰＨＹ１３Ｂ＿２は、いずれからもクロックの供給を受けていないため、ネットワーク装置１０Ｂは、どのネットワーク装置１０とも同期せず、フリーランの状態となる。
【００６３】
従って、ネットワーク装置１０Ａが誤って設定され、Ｓｙｎｃ−Ｅの設定及びＰＨＹの設定が異常である場合には、システム中のすべてのネットワーク装置１０がネットワーク装置１０Ｂに同期することになる。しかし、ネットワーク装置１０Ｂは、精度の高いクロックを発生させるクロック源１１Ｂからのクロックを基準として動作しないため、ネットワーク全体が精度の低いクロックタイミングで動作することになり、ネットワークシステムが正常に動作しない。
【００６４】
そこで、本実施の形態では、このような場合に、ネットワーク装置１０Ａ及び１０ＢにおけるＳｙｎｃ−Ｅの設定の関係性と、ＰＨＹの設定の関係性との状態をアラーム検出部１５Ａ及び／又は１５Ｂ（不図示）で判断し、これらの関係性が不一致であることを検出して、アラーム通知を行う。
【００６５】
次に、Ｓｙｎｃ−Ｅの設定の関係性と、ＰＨＹの設定の関係性との状態を判断する場合の動作について、図４を参照して説明する。図４に示す例は、図３と同様に、ネットワーク装置１０Ａをマスタに設定し、ネットワーク装置１０Ｂをスレーブに設定する予定のものを、ネットワーク運用者の誤設定によりネットワーク装置１０Ａをスレーブに設定した場合を示す。尚、この例では、説明が煩雑となるのを防ぐため、動作の説明に不要となる部分についての図示を省略する。
【００６６】
まず、ネットワーク装置１０Ａに設けられたアラーム検出部１５Ａは、ＰＨＹ１３Ａ＿１におけるＳｙｎｃ−Ｅの設定と、ＰＨＹの設定とを監視し、これらの関係性を判断する。この例では、ＰＨＹ１３Ａ＿１におけるＳｙｎｃ−Ｅの設定がスレーブであり、ＰＨＹの設定がスレーブであるため、関係性が一致するため、設定が正常であると判断し、アラームの通知を行わない。
【００６７】
一方、ネットワーク装置１０Ｂに設けられたアラーム検出部１５Ｂは、ＰＨＹ１３Ｂ＿２におけるＳｙｎｃ−Ｅの設定と、ＰＨＹの設定とを監視し、これらの関係性を判断する。この例では、ＰＨＹ１３Ｂ＿２におけるＳｙｎｃ−Ｅの設定がスレーブであり、ＰＨＹの設定がマスタであるため、関係性が不一致となる。そのため、アラーム検出部１５Ｂは、設定が異常であると判断してアラーム情報を生成し、自装置に対してアラームを通知する。
【００６８】
ところで、互いに接続されたネットワーク装置１０Ａ及び１０Ｂ間では、設定の異常が自装置であるネットワーク装置１０Ｂで発生しているとは限らず、接続されたネットワーク装置１０Ａで発生していることも考えられる。これは、接続されたネットワーク装置１０Ａとの関係で、ネットワーク装置１０Ａ及び１０Ｂの設定が決定されるためである。
【００６９】
例えば、図３に示す例では、アラーム検出部１５Ａによりネットワーク装置１０Ａにおける設定が正常であると判断されるが、実際には、ネットワーク装置１０Ａの設定が誤設定となっている。このような場合に、ネットワーク装置１０Ｂに対してのみアラームを通知しても、ネットワーク運用者が異常を発見することができない。
【００７０】
そこで、本実施の形態では、異常を検出したネットワーク装置１０だけでなく、異常を検出したネットワーク装置１０に接続されたネットワーク装置１０に対してもアラームを通知する。これにより、異常を検出したネットワーク装置１０、又はこのネットワーク装置１０に接続されたネットワーク装置１０で誤設定があったことをネットワーク運用者に対して通知することができ、異常箇所を迅速に発見することができる。
【００７１】
すなわち、アラーム検出部１５Ｂは、Ｓｙｎｃ−Ｅの設定とＰＨＹの設定との関係性が不一致であると判断した場合に、ネットワーク装置１０Ｂに対してアラームを通知すると共に、ネットワーク装置１０Ａに対してもアラームを通知する。
【００７２】
アラーム検出部１５Ｂからネットワーク装置１０Ａに対して通知されたアラームは、アラーム検出部１５Ａで検出され、アラーム検出部１５Ａは、ネットワーク装置１０Ａに対してネットワーク運用者が認識できるようにアラームを通知する。このときのアラームは、ネットワーク装置１０Ｂで異常を検出したことがわかるように、ネットワーク装置１０Ｂで通知されるアラームと区別可能なものとする。
【００７３】
以上のように、本実施の形態によれば、Ｓｙｎｃ−Ｅの設定とＰＨＹの設定との関係性が不一致であると判断した場合に、自装置に対してアラームを通知すると共に、接続された他のネットワーク装置に対してもアラームを通知する。これにより、ネットワーク層置換の接続が切断されることなく、アラームを通知できると共に、ネットワーク運用者は、装置の設定が誤設定であることを容易に認識することができ、誤設定に対して対処することができる。
【００７４】
また、自装置及び接続された装置に対するアラームを区別できるようにしたため、通知されたアラームによってどの装置で誤設定が発生したかを容易に判断することができ、誤設定に対して迅速に対処することができる。
【符号の説明】
【００７５】
１  ネットワークシステム
１０（１０Ａ、１０Ｂ）  ネットワーク装置
１１（１１Ａ、１１Ｂ）  クロック源
１２（１２Ａ、１２Ｂ）  ＰＬＬ回路
１３（１３＿１、１３＿２、１３Ａ＿１、１３Ｂ＿１、１３Ｂ＿２）  物理層デバイス
１４（１４＿１、１４＿２、１４Ａ＿１、１４Ｂ＿１、１４Ｂ＿２）  接続インターフェース
１５（１５Ａ、１５Ｂ）  アラーム検出部
２０  ＰＳＮ
【図１】
2015211247.tif 000003
【図２】
2015211247.tif 000004
【図３】
2015211247.tif 000005
【図４】
2015211247.tif 000006